【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】送信方法、受信方法、送信装置、受信装置
【手続補正２】
【補正対象書類名】明細書
【補正対象項目名】特許請求の範囲
【補正方法】変更
【補正の内容】
【特許請求の範囲】
【請求項１】
ディジタル情報をＯＦＤＭ信号として送信する送信方法であって、
前記ＯＦＤＭ信号は、周波数的に連続する複数のキャリアから構成されるセグメントを２つ以上含み、
前記セグメントは、同期検波用セグメントまたは差動検波用セグメントのいずれかであり、
前記同期検波用セグメントは、付加情報伝送信号が割り当てられたキャリアと情報伝送信号が割り当てられたキャリアとを含み、
前記同期検波用セグメントにおいて、前記付加情報伝送信号は、特定のキャリアに割り当てられ、
前記同期検波用セグメントにおいて、前記情報伝送信号は、前記付加情報伝送信号が割り当てられたキャリア以外のいずれかのキャリアに割り当てられ、
前記差動検波用セグメントは、付加情報伝送信号が割り当てられたキャリアと情報伝送信号が割り当てられたキャリアとを含み、
前記差動検波用セグメントにおいて、前記付加情報伝送信号は、特定のキャリアに割り当てられ、
前記差動検波用セグメントにおいて、前記情報伝送信号は、前記付加情報伝送信号が割り当てられたキャリア以外のいずれかのキャリアに割り当てられ、
前記差動検波用セグメントにおける前記付加情報伝送信号が割り当てられたキャリアの位置は、前記同期検波用における前記付加情報伝送信号が割り当てられたキャリアの位置を含み、
前記同期検波用セグメントの前記情報伝送信号は、各々が割り当てられたキャリアを、前記ディジタル情報に基づいて絶対位相変調したものであり、
前記差動検波用セグメントの前記情報伝送信号は、各々が割り当てられたキャリアを、前記ディジタル情報に基づいて差動変調したものであることを特徴とする送信方法。
【請求項２】
前記絶対位相変調は、ＱＰＳＫ変調、１６ＱＡＭ変調、６４ＱＡＭ変調のいずれかであることを特徴とする請求項１記載の送信方法。
【請求項３】
前記差動変調は、ＤＱＰＳＫ変調であることを特徴とする請求項１記載の送信方法。
【請求項４】
前記付加情報伝送信号は、各々が割り当てられたキャリアを、付加情報に基づいて差動変調したものであることを特徴とする請求項１記載の送信方法。
【請求項５】
前記付加情報伝送信号に対する前記差動変調は、ＤＢＰＳＫ変調であることを特徴とする請求項４記載の送信方法。
【請求項６】
前記付加情報伝送信号が割り当てられたキャリアの電力は前記情報伝送信号が割り当てられたキャリアの電力より大きいことを特徴とする請求項１記載の送信方法。
【請求項７】
ＯＦＤＭ信号を受信し、ディジタル情報を復元する受信方法であって、
前記ＯＦＤＭ信号は、周波数的に連続する複数のキャリアから構成されるセグメントを２つ以上含み、
前記セグメントは、同期検波用セグメントまたは差動検波用セグメントのいずれかであり、
前記同期検波用セグメントは、付加情報伝送信号が割り当てられたキャリアと情報伝送信号が割り当てられたキャリアとを含み、
前記同期検波用セグメントにおいて、前記付加情報伝送信号は、特定のキャリアに割り当てられ、
前記同期検波用セグメントにおいて、前記情報伝送信号は、前記付加情報伝送信号が割り当てられたキャリア以外のいずれかのキャリアに割り当てられ、
前記差動検波用セグメントは、付加情報伝送信号が割り当てられたキャリアと情報伝送信号が割り当てられたキャリアとを含み、
前記差動検波用セグメントにおいて、前記付加情報伝送信号は、特定のキャリアに割り当てられ、
前記差動検波用セグメントにおいて、前記情報伝送信号は、前記付加情報伝送信号が割り当てられたキャリア以外のいずれかのキャリアに割り当てられ、
前記差動検波用セグメントにおける前記付加情報伝送信号が割り当てられたキャリアの位置は、前記同期検波用における前記付加情報伝送信号が割り当てられたキャリアの位置を含み、
前記同期検波用セグメントの前記情報伝送信号は、各々が割り当てられたキャリアを、前記ディジタル情報に基づいて絶対位相変調したものであり、
前記差動検波用セグメントの前記情報伝送信号は、各々が割り当てられたキャリアを、前記ディジタル情報に基づいて差動変調したものであり、
前記ＯＦＤＭ信号をフーリエ変換した後、前記同期検波用セグメントを同期検波し、前記差動検波用セグメントを差動検波することにより前記ディジタル情報を復元することを特徴とする受信方法。
【請求項８】
前記絶対位相変調は、ＱＰＳＫ変調、１６ＱＡＭ変調、６４ＱＡＭ変調のいずれかであることを特徴とする請求項７記載の受信方法。
【請求項９】
前記差動変調は、ＤＱＰＳＫ変調であることを特徴とする請求項７記載の受信方法。
【請求項１０】
前記付加情報伝送信号は、各々が割り当てられたキャリアを、付加情報に基づいて差動変調したものであることを特徴とする請求項７記載の受信方法。
【請求項１１】
前記付加情報伝送信号に対する前記差動変調は、ＤＢＰＳＫ変調であることを特徴とする請求項１０記載の受信方法。
【請求項１２】
前記付加情報伝送信号が割り当てられたキャリアの電力は前記情報伝送信号が割り当てられたキャリアの電力より大きいことを特徴とする請求項７記載の受信方法。
【請求項１３】
ディジタル情報をＯＦＤＭ信号として送信する送信装置であって、
情報伝送信号と付加情報伝送信号とを所定のキャリアに割り当てるキャリア配置手段と、
前記キャリア配置手段の出力を逆フーリエ変換することにより前記ＯＦＤＭ信号を生成する逆フーリエ変換手段とを備え、
前記ＯＦＤＭ信号は、周波数的に連続する複数のキャリアから構成されるセグメントを２つ以上含み、
前記セグメントは、同期検波用セグメントまたは差動検波用セグメントのいずれかであり、
前記同期検波用セグメントは、付加情報伝送信号が割り当てられたキャリアと情報伝送信号が割り当てられたキャリアとを含み、
前記同期検波用セグメントにおいて、前記付加情報伝送信号は、特定のキャリアに割り当てられ、
前記同期検波用セグメントにおいて、前記情報伝送信号は、前記付加情報伝送信号が割り当てられたキャリア以外のいずれかのキャリアに割り当てられ、
前記差動検波用セグメントは、付加情報伝送信号が割り当てられたキャリアと情報伝送信号が割り当てられたキャリアとを含み、
前記差動検波用セグメントにおいて、前記付加情報伝送信号は、特定のキャリアに割り当てられ、
前記差動検波用セグメントにおいて、前記情報伝送信号は、前記付加情報伝送信号が割り当てられたキャリア以外のいずれかのキャリアに割り当てられ、
前記差動検波用セグメントにおける前記付加情報伝送信号が割り当てられたキャリアの位置は、前記同期検波用における前記付加情報伝送信号が割り当てられたキャリアの位置を含み、
前記同期検波用セグメントの前記情報伝送信号は、各々が割り当てられたキャリアを、前記ディジタル情報に基づいて絶対位相変調したものであり、
前記差動検波用セグメントの前記情報伝送信号は、各々が割り当てられたキャリアを、前記ディジタル情報に基づいて差動変調したものであることを特徴とする送信装置。
【請求項１４】
前記絶対位相変調は、ＱＰＳＫ変調、１６ＱＡＭ変調、６４ＱＡＭ変調のいずれかであることを特徴とする請求項１３記載の送信装置。
【請求項１５】
前記差動変調は、ＤＱＰＳＫ変調であることを特徴とする請求項１３記載の送信装置。
【請求項１６】
前記付加情報伝送信号は、各々が割り当てられたキャリアを、付加情報に基づいて差動変調したものであることを特徴とする請求項１３記載の送信装置。
【請求項１７】
前記付加情報伝送信号に対する前記差動変調は、ＤＢＰＳＫ変調であることを特徴とする請求項１６記載の送信装置。
【請求項１８】
前記付加情報伝送信号が割り当てられたキャリアの電力は前記情報伝送信号が割り当てられたキャリアの電力より大きいことを特徴とする請求項１３記載の送信装置。
【請求項１９】
ＯＦＤＭ信号を受信し、ディジタル情報を復元する受信装置であって、
前記ＯＦＤＭ信号は、周波数的に連続する複数のキャリアから構成されるセグメントを２つ以上含み、
前記セグメントは、同期検波用セグメントまたは差動検波用セグメントのいずれかであり、
前記同期検波用セグメントは、付加情報伝送信号が割り当てられたキャリアと情報伝送信号が割り当てられたキャリアとを含み、
前記同期検波用セグメントにおいて、前記付加情報伝送信号は、特定のキャリアに割り当てられ、
前記同期検波用セグメントにおいて、前記情報伝送信号は、前記付加情報伝送信号が割り当てられたキャリア以外のいずれかのキャリアに割り当てられ、
前記差動検波用セグメントは、付加情報伝送信号が割り当てられたキャリアと情報伝送信号が割り当てられたキャリアとを含み、
前記差動検波用セグメントにおいて、前記付加情報伝送信号は、特定のキャリアに割り当てられ、
前記差動検波用セグメントにおいて、前記情報伝送信号は、前記付加情報伝送信号が割り当てられたキャリア以外のいずれかのキャリアに割り当てられ、
前記差動検波用セグメントにおける前記付加情報伝送信号が割り当てられたキャリアの位置は、前記同期検波用における前記付加情報伝送信号が割り当てられたキャリアの位置を含み、
前記同期検波用セグメントの前記情報伝送信号は、各々が割り当てられたキャリアを、前記ディジタル情報に基づいて絶対位相変調したものであり、
前記差動検波用セグメントの前記情報伝送信号は、各々が割り当てられたキャリアを、前記ディジタル情報に基づいて差動変調したものであり、
前記ＯＦＤＭ信号をフーリエ変換するフーリエ変換手段と、
前記フーリエ変換手段の出力の内、前記同期検波用セグメントを同期検波し、前記差動検波用セグメントを差動検波する検波手段とを備えることを特徴とする受信装置。
【請求項２０】
前記絶対位相変調は、ＱＰＳＫ変調、１６ＱＡＭ変調、６４ＱＡＭ変調のいずれかであることを特徴とする請求項１９記載の受信装置。
【請求項２１】
前記差動変調は、ＤＱＰＳＫ変調であることを特徴とする請求項１９記載の受信装置。
【請求項２２】
前記付加情報伝送信号は、各々が割り当てられたキャリアを、付加情報に基づいて差動変調したものであることを特徴とする請求項１９記載の受信装置。
【請求項２３】
前記付加情報伝送信号に対する前記差動変調は、ＤＢＰＳＫ変調であることを特徴とする請求項２２記載の受信装置。
【請求項２４】
前記付加情報伝送信号が割り当てられたキャリアの電力は前記情報伝送信号が割り当てられたキャリアの電力より大きいことを特徴とする請求項１９記載の受信装置。
【手続補正３】
【補正対象書類名】明細書
【補正対象項目名】０００１
【補正方法】変更
【補正の内容】
【０００１】
【発明の属する技術分野】
本発明は、１つのチャネルで固定受信及び移動受信に適した信号を混在して伝送する直交周波数分割多重伝送方式のための送信方法及び受信方法に関する。また、該直交周波数分割多重方式に基づいてＯＦＤＭ信号を形成し伝送する送信装置及び、該直交周波数分割多重方式に基づいて形成され伝送されるＯＦＤＭ信号を受信し復調する受信装置に関する。
【手続補正４】
【補正対象書類名】明細書
【補正対象項目名】００２５
【補正方法】変更
【補正の内容】
【００２５】
そこで、本発明は、上記の課題を解決し、全体の伝送容量を維持しつつディジタル情報を伝送する搬送波の変調に部分的に移動受信に適した変調方式を導入し、また、連続パイロット信号から推定される伝送路のインパルス応答に折り返しが生じないように連続パイロット信号を配置したＯＦＤＭ伝送方式の送信方法、受信方法、送信装置、受信装置を提供することを目的とする。
【手続補正５】
【補正対象書類名】明細書
【補正対象項目名】００２６
【補正方法】変更
【補正の内容】
【００２６】
【課題を解決するための手段】
上記の課題を解決するために、本発明に係わる送信方法は、ディジタル情報をＯＦＤＭ信号として送信する送信方法であって、前記ＯＦＤＭ信号は、周波数的に連続する複数のキャリアから構成されるセグメントを２つ以上含み、前記セグメントは、同期検波用セグメントまたは差動検波用セグメントのいずれかであり、前記同期検波用セグメントは、付加情報伝送信号が割り当てられたキャリアと情報伝送信号が割り当てられたキャリアとを含み、前記同期検波用セグメントにおいて、前記付加情報伝送信号は、特定のキャリアに割り当てられ、前記同期検波用セグメントにおいて、前記情報伝送信号は、前記付加情報伝送信号が割り当てられたキャリア以外のいずれかのキャリアに割り当てられ、前記差動検波用セグメントは、付加情報伝送信号が割り当てられたキャリアと情報伝送信号が割り当てられたキャリアとを含み、前記差動検波用セグメントにおいて、前記付加情報伝送信号は、特定のキャリアに割り当てられ、前記差動検波用セグメントにおいて、前記情報伝送信号は、前記付加情報伝送信号が割り当てられたキャリア以外のいずれかのキャリアに割り当てられ、前記差動検波用セグメントにおける前記付加情報伝送信号が割り当てられたキャリアの位置は、前記同期検波用における前記付加情報伝送信号が割り当てられたキャリアの位置を含み、前記同期検波用セグメントの前記情報伝送信号は、各々が割り当てられたキャリアを、前記ディジタル情報に基づいて絶対位相変調したものであり、前記差動検波用セグメントの前記情報伝送信号は、各々が割り当てられたキャリアを、前記ディジタル情報に基づいて差動変調したものであることを特徴とする。
【手続補正６】
【補正対象書類名】明細書
【補正対象項目名】００２７
【補正方法】変更
【補正の内容】
【００２７】
また、本発明に係わる受信方法は、ＯＦＤＭ信号を受信し、ディジタル情報を復元する受信方法であって、前記ＯＦＤＭ信号は、周波数的に連続する複数のキャリアから構成されるセグメントを２つ以上含み、前記セグメントは、同期検波用セグメントまたは差動検波用セグメントのいずれかであり、前記同期検波用セグメントは、付加情報伝送信号が割り当てられたキャリアと情報伝送信号が割り当てられたキャリアとを含み、前記同期検波用セグメントにおいて、前記付加情報伝送信号は、特定のキャリアに割り当てられ、前記同期検波用セグメントにおいて、前記情報伝送信号は、前記付加情報伝送信号が割り当てられたキャリア以外のいずれかのキャリアに割り当てられ、前記差動検波用セグメントは、付加情報伝送信号が割り当てられたキャリアと情報伝送信号が割り当てられたキャリアとを含み、前記差動検波用セグメントにおいて、前記付加情報伝送信号は、特定のキャリアに割り当てられ、前記差動検波用セグメントにおいて、前記情報伝送信号は、前記付加情報伝送信号が割り当てられたキャリア以外のいずれかのキャリアに割り当てられ、前記差動検波用セグメントにおける前記付加情報伝送信号が割り当てられたキャリアの位置は、前記同期検波用における前記付加情報伝送信号が割り当てられたキャリアの位置を含み、前記同期検波用セグメントの前記情報伝送信号は、各々が割り当てられたキャリアを、前記ディジタル情報に基づいて絶対位相変調したものであり、前記差動検波用セグメントの前記情報伝送信号は、各々が割り当てられたキャリアを、前記ディジタル情報に基づいて差動変調したものであり、前記ＯＦＤＭ信号をフーリエ変換した後、前記同期検波用セグメントを同期検波し、前記差動検波用セグメントを差動検波することにより前記ディジタル情報を復元することを特徴とする。
【手続補正７】
【補正対象書類名】明細書
【補正対象項目名】００２８
【補正方法】変更
【補正の内容】
【００２８】
また、本発明に係わる送信装置は、ディジタル情報をＯＦＤＭ信号として送信する送信装置であって、情報伝送信号と付加情報伝送信号とを所定のキャリアに割り当てるキャリア配置手段と、前記キャリア配置手段の出力を逆フーリエ変換することにより前記ＯＦＤＭ信号を生成する逆フーリエ変換手段とを備え、前記ＯＦＤＭ信号は、周波数的に連続する複数のキャリアから構成されるセグメントを２つ以上含み、前記セグメントは、同期検波用セグメントまたは差動検波用セグメントのいずれかであり、前記同期検波用セグメントは、付加情報伝送信号が割り当てられたキャリアと情報伝送信号が割り当てられたキャリアとを含み、前記同期検波用セグメントにおいて、前記付加情報伝送信号は、特定のキャリアに割り当てられ、前記同期検波用セグメントにおいて、前記情報伝送信号は、前記付加情報伝送信号が割り当てられたキャリア以外のいずれかのキャリアに割り当てられ、前記差動検波用セグメントは、付加情報伝送信号が割り当てられたキャリアと情報伝送信号が割り当てられたキャリアとを含み、前記差動検波用セグメントにおいて、前記付加情報伝送信号は、特定のキャリアに割り当てられ、前記差動検波用セグメントにおいて、前記情報伝送信号は、前記付加情報伝送信号が割り当てられたキャリア以外のいずれかのキャリアに割り当てられ、前記差動検波用セグメントにおける前記付加情報伝送信号が割り当てられたキャリアの位置は、前記同期検波用における前記付加情報伝送信号が割り当てられたキャリアの位置を含み、前記同期検波用セグメントの前記情報伝送信号は、各々が割り当てられたキャリアを、前記ディジタル情報に基づいて絶対位相変調したものであり、前記差動検波用セグメントの前記情報伝送信号は、各々が割り当てられたキャリアを、前記ディジタル情報に基づいて差動変調したものであることを特徴とする。
【手続補正８】
【補正対象書類名】明細書
【補正対象項目名】００２９
【補正方法】変更
【補正の内容】
【００２９】
また、本発明に係わる受信装置は、ＯＦＤＭ信号を受信し、ディジタル情報を復元する受信装置であって、前記ＯＦＤＭ信号は、周波数的に連続する複数のキャリアから構成されるセグメントを２つ以上含み、前記セグメントは、同期検波用セグメントまたは差動検波用セグメントのいずれかであり、前記同期検波用セグメントは、付加情報伝送信号が割り当てられたキャリアと情報伝送信号が割り当てられたキャリアとを含み、前記同期検波用セグメントにおいて、前記付加情報伝送信号は、特定のキャリアに割り当てられ、前記同期検波用セグメントにおいて、前記情報伝送信号は、前記付加情報伝送信号が割り当てられたキャリア以外のいずれかのキャリアに割り当てられ、前記差動検波用セグメントは、付加情報伝送信号が割り当てられたキャリアと情報伝送信号が割り当てられたキャリアとを含み、前記差動検波用セグメントにおいて、前記付加情報伝送信号は、特定のキャリアに割り当てられ、前記差動検波用セグメントにおいて、前記情報伝送信号は、前記付加情報伝送信号が割り当てられたキャリア以外のいずれかのキャリアに割り当てられ、前記差動検波用セグメントにおける前記付加情報伝送信号が割り当てられたキャリアの位置は、前記同期検波用における前記付加情報伝送信号が割り当てられたキャリアの位置を含み、前記同期検波用セグメントの前記情報伝送信号は、各々が割り当てられたキャリアを、前記ディジタル情報に基づいて絶対位相変調したものであり、前記差動検波用セグメントの前記情報伝送信号は、各々が割り当てられたキャリアを、前記ディジタル情報に基づいて差動変調したものであり、前記ＯＦＤＭ信号をフーリエ変換するフーリエ変換手段と、前記フーリエ変換手段の出力の内、前記同期検波用セグメントを同期検波し、前記差動検波用セグメントを差動検波する検波手段とを備えることを特徴とする。
【手続補正９】
【補正対象書類名】明細書
【補正対象項目名】００３０
【補正方法】削除
【補正の内容】
【手続補正１０】
【補正対象書類名】明細書
【補正対象項目名】０１１６
【補正方法】変更
【補正の内容】
【０１１６】
したがって、本発明によれば、全体の伝送容量を維持しつつディジタル情報を伝送する搬送波の変調に部分的に移動受信に適した変調方式を導入し、また、例えば連続パイロット信号から推定される伝送路のインパルス応答に折り返しが生じないように連続パイロット信号を配置したＯＦＤＭ伝送方式に適する送信方法、受信方法、送信装置及び受信装置を提供することができる。